(57)【要約】【目的】記録媒体に接触することで記録媒体の有無を検出する方式の記録媒体検出手段であっても印字直後の印字面をレバーが擦って印字が乱れたり、レバーが汚れたりすることのないインクジェット記録装置を提供すること。【構成】シリアルタイプのインクジェット記録装置において、プラテンの副走査の移動範囲には記録を行う記録位置と、記録位置の範囲外の待機位置とがあり、記録媒体に接触することで変位する記録媒体検知レバーと、記録媒体検知レバーの変位を検出する手段とから成るプラテン上の記録媒体の有無を検知する記録媒体検知手段を有し、前記記録媒体検知手段は記録用紙の待機位置と記録位置の間で検知手段が作用するように配置され、プラテンが待機位置から記録位置へ向かう往路動作では検知レバーは記録媒体の印字面に接触し、プラテンが記録位置から待機位置へ向かう復路動作では検知レバーは記録媒体の印字面には接触しないように作用する。【選択図】      図１
2004155029.tif 000002
【特許請求の範囲】
【請求項１】
記録媒体をプラテンに載せ、記録ヘッドの往復移動である主走査と、主走査と概略直交する方向に往復移動するプラテンの副走査を組み合わせて記録媒体の上面に記録を行うシリアルタイプのインクジェット記録装置において、
前記プラテンの副走査の移動範囲には記録を行う記録位置と、記録位置の範囲外の待機位置とがあり、記録媒体に接触することで変位する記録媒体検知レバーと、記録媒体検知レバーの変位を検出する手段とから成るプラテン上の記録媒体の有無を検知する記録媒体検知手段を有し、前記記録媒体検知手段は記録用紙の待機位置と記録位置の間で検知手段が作用するように配置され、プラテンが待機位置から記録位置へ向かう往路動作では検知レバーは記録媒体の印字面に接触し、プラテンが記録位置から待機位置へ向かう復路動作では検知レバーは記録媒体の印字面には接触しないように作用することを特徴とするインクジェット記録装置。
【請求項２】
前記記録媒体検知レバーは、プラテンの往路動作では副走査方向に回動し、復路動作では前記プラテンに設けられたガイドする部分によって記録媒体検知レバーは主走査方向に回動することを特徴とする請求項１記載のインクジェット記録装置。
【請求項３】
前記紙検知レバーは、主走査方向の回転軸による副走査方向の回転と副走査方向の回転軸による主走査方向の回転を組み合わせて構成されていていることを特徴とする請求項２記載のインクジェット記録装置。
【請求項４】
前記紙検知レバーは、副走査方向に回転するように軸受け部に隙間を持って軸支され、その隙間によって主走査方向にも回動可能であり、前記検知レバーの支持部には主走査方向への回動を許容するための支持面を持つことを特徴とする請求項２記載のインクジェット記録装置。
【請求項５】
前記検知レバーの変位を検出する検出手段は、検知レバーが主走査方向に回動するときの回転軸上に配置されていることを特徴とする請求項４記載のインクジェット記録装置。
【請求項６】
前記プラテンの往路動作時の進行方向側には記録媒体検知レバーを副走査方向に回動させるためにガイドする副走査方向に延びる溝が設けられていることを特徴とする請求項３又は４記載のインクジェット記録装置。
【請求項７】
前記紙検知レバーは、主走査方向に対して斜めの角度を持つ回転軸で軸支され、往路では用紙側に復路では用紙から外れる側に副走査方向に対して斜めに回動することを特徴とする請求項１記載のインクジェット記録装置。
【請求項８】
主走査方向の幅が異なる記録媒体に記録可能なインクジェット記録装置において、記録媒体は前記幅によらず主走査方向どちらかの端を常に同じ位置に揃えて積載し、前記紙検知レバーは前記積載位置が揃えられている側に寄せて置かれ、前記検知レバーの主走査方向の回動は、この揃えられている側への回動であることを特徴とする請求項１〜７の何れかに記載のインクジェット記録装置。
【発明の詳細な説明】
【０００１】
【発明の属する技術分野】
本発明は、インクジェット記録装置に関し、特に記録媒体をプラテンに載せ、記録ヘッドの主走査とプラテンの副走査により記録を行うシリアルタイプのインクジェット記録装置に関する。
【０００２】
【従来の技術】
インクを微少な液滴として被記録材に適宜に付着させることで印字物を得るインクジェット記録方式は、電子写真方式の記録装置に比べて装置が格別に安価で且つ小型であり、普通紙への事務文書の印字から専用紙への写真画像の印字まで幅広い印字物が手軽に得られることから近年多く用いられている。
【０００３】
特開平９−５８０７３号には、最剥離可能な記録用紙を積層した記録媒体をプラテン上に載せて記録を行うインクジェット記録装置が提案されている。又、特開２００２−５２７６０号には、記録用紙を往復移動する台に載せて記録を行う熱転写方式の記録装置が開示されている。更に、記録媒体に非接触で印字を行える特徴によりＣＤ−Ｒ等の媒体のレーベル面へ印字を行う記録装置も提案されている。
【０００４】
又、通常のインクジェット記録装置において、記録媒体の検出は、記録媒体を積載している待機位置と記録を行う記録位置の搬送経路の中間に記録媒体に接触するレバーを設け、そのレバーの回動の有無をセンサで検知することで行われる。記録用紙の検知後、レバー先端が記録媒体の表面に接触しながら記録媒体は記録位置へ搬送される。
【０００５】
【発明が解決しようとする課題】
記録ヘッドの主走査と往復動作するプラテンに記録媒体を載せて副走査を組み合わせて記録を行う記録装置のプラテン上の記録媒体の有無を検知する手段において、通常の記録装置と同様にプラテンの待機位置と記録位置の中間に記録媒体に接触するレバーを設ければプラテン上の記録媒体の有無を検出することができる。
【０００６】
ところが、上記構成では記録動作後にプラテンが記録位置に戻る際、再びレバー先端が記録媒体の表面に接触することになる。インクジェット記録方式の場合には、記録媒体表面は印字直後で又インクが完全に乾燥・定着していないため、表面を擦ると印字された画像が乱れたり、紙検出レバー先端にインクが付着したりする。
【０００７】
本発明は上記問題に鑑みてなされたものであり、その目的とする処は、記録媒体をプラテンに載せ、このプラテンを記録ヘッドの対向面で平行に往復移動させることで副走査とするインクジェット記録装置において、記録媒体に接触することで記録媒体の有無を検出する方式の記録媒体検出手段であっても印字直後の印字面をレバーが擦って印字が乱れたり、レバーが汚れたりすることのないインクジェット記録装置を提供することにある。
【０００８】
【課題を解決するための手段】
上記目的を達成するため、請求項１記載の発明は、記録媒体をプラテンに載せ、記録ヘッドの往復移動である主走査と、主走査と概略直交する方向に往復移動するプラテンの副走査を組み合わせて記録媒体の上面に記録を行うシリアルタイプのインクジェット記録装置において、前記プラテンの副走査の移動範囲には記録を行う記録位置と、記録位置の範囲外の待機位置とがあり、記録媒体に接触することで変位する記録媒体検知レバーと、記録媒体検知レバーの変位を検出する手段とから成るプラテン上の記録媒体の有無を検知する記録媒体検知手段を有し、前記記録媒体検知手段は記録用紙の待機位置と記録位置の間で検知手段が作用するように配置され、プラテンが待機位置から記録位置へ向かう往路動作では検知レバーは記録媒体の印字面に接触し、プラテンが記録位置から待機位置へ向かう復路動作では検知レバーは記録媒体の印字面には接触しないように作用することを特徴とする。
【０００９】
請求項２記載の発明は、請求項１記載の発明において、前記記録媒体検知レバーは、プラテンの往路動作では副走査方向に回動し、復路動作では前記プラテンに設けられたガイドする部分によって記録媒体検知レバーは主走査方向に回動することを特徴とする請求項１記載のインクジェット記録装置。
【００１０】
請求項３記載の発明は、請求項２記載の発明において、前記紙検知レバーは、主走査方向の回転軸による副走査方向の回転と副走査方向の回転軸による主走査方向の回転を組み合わせて構成されていていることを特徴とする。
【００１１】
請求項４記載の発明は、請求項２記載の発明において、前記紙検知レバーは、副走査方向に回転するように軸受け部に隙間を持って軸支され、その隙間によって主走査方向にも回動可能であり、前記検知レバーの支持部には主走査方向への回動を許容するための支持面を持つことを特徴とする。
【００１２】
請求項５記載の発明は、請求項４記載の発明において、前記検知レバーの変位を検出する検出手段は、検知レバーが主走査方向に回動するときの回転軸上に配置されていることを特徴とする。
【００１３】
請求項６記載の発明は、請求項３又は４記載の発明において、前記プラテンの往路動作時の進行方向側には記録媒体検知レバーを副走査方向に回動させるためにガイドする副走査方向に延びる溝が設けられていることを特徴とする。
【００１４】
請求項７記載の発明は、請求項１記載の発明において、前記紙検知レバーは、主走査方向に対して斜めの角度を持つ回転軸で軸支され、往路では用紙側に復路では用紙から外れる側に副走査方向に対して斜めに回動することを特徴とする。
【００１５】
請求項８記載の発明は、請求項１〜７の何れかに記載の発明において、主走査方向の幅が異なる記録媒体に記録可能なインクジェット記録装置において、記録媒体は前記幅によらず主走査方向どちらかの端を常に同じ位置に揃えて積載し、前記紙検知レバーは前記積載位置が揃えられている側に寄せて置かれ、前記検知レバーの主走査方向の回動は、この揃えられている側への回動であることを特徴とする。
【００１６】
従って、請求項１記載の発明によれば、プラテンが待機位置から記録位置へ向かう往路動作では検知レバーは記録媒体の印字面に接触し、プラテンが記録位置から待機位置へ向かう復路動作では検知レバーは記録媒体の印字面には接触しないように作用することとしたため、副走査が往復動作のインクジェット記録装置でも記録媒体に接触して記録媒体の有無を検知する記録媒体検知手段を用いても記録直後の記録面に検知レバーが接触しない。
【００１７】
請求項２記載の発明によれば、記録媒体検知レバーはプラテンの往路動作では副走査方向に回動し、復路動作ではプラテンに設けられたガイドする部分によって記録媒体検知レバーは主走査方向に回動することとしたため、往路と復路で検知レバーの回動方向をプラテンの移動方向の違いにより変えることができる。
【００１８】
請求項３記載の発明によれば、前記紙検知レバーは主走査方向の回転軸による副走査方向の回転と副走査方向の回転軸による主走査方向の回転を組み合わせて構成されていていることとしたため、回転動作を確実に行うことができる。
【００１９】
請求項４記載の発明によれば、紙検知レバーは主走査副走査方向に回転するように軸支されていて、その隙間によって主走査方向にも回動可能であり、検知レバーの支持部には主走査方向への回動を許容するための支持面を持つこととしたため、２方向に回動する検知レバーを１部品で構成することができる。
【００２０】
請求項５記載の発明によれば、往路において検知レバーが主走査方向に回転しても検知レバーが検出手段から離れることがない。
【００２１】
請求項６記載の発明によれば、プラテンの往路動作時の進行方向側には記録媒体検知レバーを副走査方向に回動させるためにガイドする副走査方向に延びる溝が設けられていることとしたため、記録用紙が薄い場合でも十分なレバーの動きを得ることができる。
【００２２】
請求項７記載の発明によれば、記録動作前の副走査動作時に記録媒体検知レバーが記録媒体の記録面に接触し、記録動作後の副走査動作時に記録媒体検知レバーが記録媒体の記録面に接触しないインクジェット記録装置を１方向にのみ回転するように支持されている検知レバーで構成することができる。
【００２３】
請求項８記載の発明によれば、紙幅の異なる記録媒体に記録を行う場合にも紙検知レバーの動作を同一のものとできる。
【００２４】
【発明の実施の形態】
以下に本発明の実施の形態を添付図面に基づいて説明する。
【００２５】
＜実施の形態１＞
図１は本発明に係るインクジェット記録装置を示す外観斜視図である。
【００２６】
本発明に係るインクジェット記録装置は、自動車の外観を模した形状となっている。これは製品形態の一例であり、本発明がこの形態に限定されるというものではない。
【００２７】
記録装置１００の外観は次のように構成されている。
【００２８】
１０１は全体を覆うメインケース、１０２は記録用紙を覆うペーパーカバー、１０３はインクタンクカバーであり、ここを開けることで、インクタンクやインクジェット記録ヘッドの交換を適宜に行うためのものである。１０４は自動車のライト形状を模した電源スイッチボタン、１０５は本記録装置の電源の入切を示す電源ランプ、１０６は電源スイッチボタン１０４の反対側のライト形状を模したペーパーカバーを開けるためのカバーオープンボタン、１０７はタイヤを模した足部材であり、足部材１０７は樹脂製の円形部材１０７ａの下部にのみ小さなゴム部材１０７ｂを取り付けている。
【００２９】
尚、本説明においては、自動車形状としての前側を「前」、向かって右側を「右」として方向を示す。又、同形状若しくは対称形状の部品が複数ある場合にはこの方向としての「前」「後」「右」「左」を部品名の添え字として表わすものとする。
【００３０】
図２はペーパーカバー１０２が開いた状態を示している。
【００３１】
ペーパーカバー１０２は、左右一対のカバーリンク１０８ａ，１０８ｂにより支持されていて、更に、このカバーリンク１０８ａ，１０８ｂは不図示のばねによりペーパーカバー１０２が開くように付勢されている。そこで、ペーパーカバーボタン１０６を押してペーパーカバー１０２の受け部１０２ａを引っ掛けていたペーパーカバーボタンのフック１０６ａを外すとペーペーカバー１０２が開く。
【００３２】
２００は記録用紙群であり、同一の大きさ裁断した記録用紙を複数枚重ね、奥側の端部を再剥離可能なのりで止めてある。３０１は記録用紙群２００を積載するプラテンである。記録用紙群２００の最下層の記録用紙裏側に付けられたのりを用いてプラテン３０１への固定を行う。
【００３３】
記録命令を受けると、記録用紙は記録装置内に引き込まれつつ印字を行い、印字が終了すると反転して又元の位置に戻ってくる。ペーパーカバー１０２を開けると、アクセスできる位置に記録媒体２００がいるこの位置を待機ポジション、記録ヘッドの主走査と組み合わせて印字を行っている範囲を記録ポジションとする。
【００３４】
本発明に係るインクジェット記録装置は、通常のインクジェット記録装置のように記録用紙がローラ対に挟まれて一方向に搬送されるのではなく、プラテンに載せられて往復動作を行う構成である。このとき、装置内に引き込まれる動作時に印字を行う。復路で印字を行うと印字直後に記録媒体２００が待機ポジションに出てきてしまうため、印字濃度や印字モードによってはインクが定着していない場合があり、ユーザーは記録面の取り扱いに注意が必要となる。そこで、往路で印字を行えば元に戻る復路の時間でインクの定着が行える。
【００３５】
図３を用いて本発明の内部機構の構成の概略の説明を行う。尚、図３は装置手前左斜め前から見た図である。内部機構の説明のため図１及び図２で説明した外側を覆う部品は表示していない。
【００３６】
本実施の形態に係る記録装置は、記録ヘッドの直線往復移動である主走査と記録用紙の直線移動である副走査を直交させて組み合わせた、所謂シリアルタイプの記録装置構成である。
【００３７】
図３において、４００は記録手段の往復移動を行うための主走査ユニット、３００は記録用紙の副走査移動を行うための副走査ユニットである。又、５００は印字信号に基づいて本記録装置の記録ヘッドやモータの駆動・制御を行う電気回路基板ユニットであり、５０１は電源コネクタ、５０２はインターフェイスコネクタ、５０３は電源スイッチ、５０４は電源ランプ用のＬＥＤである。
【００３８】
底板シャーシ１１０に電気回路基板ユニット５００と副走査ユニット３００を載せて固定し、更に、副走査ユニット３００に主走査ユニット４００を取り付けて全体が構成されている。そして、６００はプラテン３０１上の記録用紙群２００の有無を検出する紙検出手段であり、副走査内の待機ポジションと記録ポジションの間に配置されている。これらの内部構成部材に前述のメインケース１０１等の外観部品を組み合わせて本実施の形態に係る記録装置が構成されている。
【００３９】
次に、主走査ユニット４００について説明する。
【００４０】
４０１はインクジェット式に記録ヘッドであり、その下側にインク滴を吐出するノズル列が配置されている。記録ヘッド４０１はキャリア４０２に載せられていて、更に記録ヘッド４０１には交換式のインクタンク４０３が載せられている。キャリア４０２は、平行に設けられたガイド軸４０４とガイドレール４０５により平行移動できるように支持されている。ガイドレール４０５は、金属の薄板でできたキャリアシャーシ４０６の一部を折り曲げて構成されている。
【００４１】
主走査ユニット４００は、キャリアシャーシ４０６上に設けられている。キャリア４０２の駆動はキャリアモータ４０７によって不図示のベルトを介して行われ、キャリアモータ４０７の正逆回転によりキャリア４０２が往復移動する。これらの構成・動作はシリアルタイプのインクジェット記録装置としてごく一般的なものである。
【００４２】
副走査ユニット３００は、右側のシャーシ右３０２と、左側のシャーシ左３０３により大枠が構成されている。記録用紙群２００を載せたプラテン３０１は、平行に配置されたプラテン軸３０６とプラテンガイドレール３１０により平行移動可能に支持されている。プラテンの駆動は、不図示のプラテンギアとプラテンモータによりラックアンドピニオンの構成で行われる。
【００４３】
本実施の形態に係る記録装置は、大まかには矢印Ａ方向の記録手段の往復直線移動である主走査と、矢印Ａと直交する矢印Ｂ方向の記録媒体２００の直線移動である副走査を適宜に組み合わせて記録媒体２００への記録を行うものである。
【００４４】
本実施の形態の特徴としては、副走査が通常のインクジェット記録装置のようにオートシートフィーダから排紙部への一方向への移動するのではなく、主走査のように往復移動することが挙げられる。
【００４５】
次に、図４（ａ）〜（ｅ）を用いて本実施の形態の紙検出手段について説明する。
【００４６】
図４においては、説明に必要な紙検出手段Ａ６００、プラテン３０１、記録用紙群２００のみを表示し、その他は省略している。図４で示す矢印Ｂ方向は図３のプラテン３０１の副走査方向を示す矢印Ｂ方向と一致している。
【００４７】
紙検出手段Ａ６００は、紙検出レバーＡ下６０１、紙検出レバーＡ上６０２、紙検出センサＡ６０３、紙検出レバーばねＡ６０４、紙検出ホルダＡ６０５から成る。紙検出レバーＡ下６０１は、記録用紙群２００と直接接触するレバーであり、紙検出レバーＡ上６０２に対して主走査方向（図中矢印Ｃ方向）に回転するように軸支されている。
【００４８】
記録用紙群２００が薄い場合でも確実に紙検出レバーＡ下６０１が変位するように、紙検出レバーＡ下６０１の先端はプラテン３０１に設けられたレバー溝３０１ａに入り込んでいる。そして、レバー溝３０１ａは、紙検出レバーＡ下６０１の動作を妨げないように副走査方向に記録用紙群２００の下側に少しは入り込むように延びている。紙検出レバーＡ上６０２は紙検出レバーＡ下６０１を支持すると共に、紙検出ホルダＡ６０５に対して副走査方向（図中矢印Ｄ方向）に回転するように軸支されている。
【００４９】
紙検出センサＡ６０３は、紙検出レバーＡ上６０２の動きを検出して記録用紙群２００の有無を検知する透過型の光センサでり、コの字型の間にある遮光部材の有無を検知するものである。尚、本実施の形態では、光センサを用いているが、レバーの動きで電気接点を開閉させるスイッチを用いていも良い。
【００５０】
紙検出レバーＡ下６０１は、図４（ａ）の状態より矢印Ｃ方向と反対方向には回転しないように紙検出レバーＡ上６０２に対してストッパーＡ６０１ａ（図４（ｅ）参照）が設けられている。又、紙検出レバーＡ上６０２は紙検出センサＡ６０３に突き当たることで、図４（ａ）の状態より矢印Ｄ方向と反対方向には回転しないように構成されている。紙検出レバーばねＡ６０４は、これら２つのレバーを突き当て状態に付勢するように構成されたねじりコイルばねである。
【００５１】
紙検出レバーばねＡ６０４のねじりコイルばねは、通常のねじりコイルばねと異なり、ねじりコイルばねとしての働きと、圧縮コイルばねとしての働きの両方が作用している。そして、紙検出手段Ａ６００の構成部材は、紙検出ホルダＡ６０５を介して不図示の支持部材でガイドレール４０５（図３）に取り付けられている。
【００５２】
紙検出手段６００は、主走査方向で図中手前左側に寄せて置かれ、紙検出レバーＡ下６０１の主走査方向の回動方向は手前左側となっている。これは記録用紙群２００がプラテン３０１上に図中手前左側に寄せて置かれるためである。このように構成すると記録用紙群２００の主走査方向の異なる用紙を記録に用いる場合にも常にこの側は同じ位置となるので、１つの紙検出手段で異なる紙幅に対応できる。
【００５３】
印字動作開始により記録用紙群２００を載せたプラテン３０１は、図４（ａ）の状態から図４（ｂ）の矢印Ｂ１方向に移動を開始すると、記録用紙群２００が紙検出レバーＡ下６０１を押す。このとき、紙検出レバーＡ下６０１は紙検出レバーＡ上６０２に対して回動せず一体となって副走査方向（矢印Ｃ方向）へ回転し、紙検出レバーＡ上６０２の上側が紙検出センサＡ６０３から出るため、紙検出センサＡ６０３は、記録用紙群２００が有ることを検知する。
【００５４】
更に、プラテン３０１が移動すると、図４（ｃ）のように、紙検出レバーＡ下６０１の先端部分が記録媒体群２００の最上面を擦りながらプラテン３０１は記録ポジションへと移動し記録を行う。
【００５５】
記録動作が終了すると、図４（ｄ）に示すように、プラテン３０１は反転し、図中矢印Ｂ２方向へ移動する。このとき、紙検出レバーＡ下６０１は、プラテン３０１上に設けられた斜面３０１ｂに接触し、斜面３０１ｂは、紙検出レバーＡ下６０１を矢印Ｃ方向へ回転させるように働く。又、紙検出レバーＡ上６０２は紙検出センサＡ６０３に突き当たっているので、この位置より更に矢印Ｄ’方向へ回転することはない。そこで、紙検出レバーＡ下６０１は、紙検出レバーばねＡ６０４の付勢力に抗して紙検出レバーＡ上６０２に対して矢印Ｃ方向へ回転し、紙から逃げる動作を行う。
【００５６】
更に、プラテン３０１が矢印Ｂ２方向へ進行すると図４（ｅ）の状態となる。図４（ｅ）は副走査方向正面から見た図であり、図４（ｅ）に示すように、紙検出レバーＡ下６０１は、プラテン３０１の図中向かって左上の稜線部３０１ｃに当接し、記録用紙群２００には接触しないで通過することができる。
【００５７】
以上のように構成することによって、レバー式の簡単な紙検出手段でありながらも記録後は記録面にレバーが接触しない。
【００５８】
＜実施の形態２＞
次に、本発明の実施の形態２を図５（ａ）〜（ｃ）を用いて説明する。尚、図５においても、図４と同様に説明に必要な構成要素のみ表示してその他は省略する。又、図５で示す矢印Ｂ方向も図３のプラテン３０１の副走査方向を示す矢印Ｂ方向と一致している。更に、図５で示す矢印Ｃ方向、矢印Ｄ方向は図４で示す方向と一致している。
【００５９】
本実施の形態においては、紙検出手段Ｂ６１０は、紙検出レバーＢ６１１、紙検出センサＢ６１３、紙検出レバーばねＢ６１４、紙検出ホルダＢ６１５から成る。紙検出レバーＢ６１１は、紙検出ホルダＢ６１５に回動可能に支持されていて記録用紙群２００と直接接触する紙側部６１１ａと紙検出センサＢ６１３に作用するセンサ側部６１１ｂとが一体に構成されている。
【００６０】
紙検出手段Ａと同様に記録用紙群２００が薄い場合でも確実に紙検出レバーＢ６１１が変位するように、紙検出レバーＢ６１１の紙側の先端はプラテン３０１に設けられたレバー溝３０１ａに入り込んでいる。そして、レバー溝３０１ａは、紙検出レバーＢ６１１の動作を妨げないように副走査方向に記録用紙群２００の下側に少しは入り込むように延びている。
【００６１】
紙検出センサＢ６１３は、紙検出センサＡ６０３と同様に透過型の光センサである。紙検出レバーＢ６１１は、紙検出ホルダＢ６１５に対して大きめの隙間を持って軸支されている。そのため、主走査方向に延びる軸に支持されているにも拘らず、副走査方向（図中矢印Ｄ方向）だけでなく主走査方向（図中矢印Ｃ方向）にも回動可能である。この支持状態でねじりコイルばねである紙検出レバーばねＢ６１４によって紙検出ホルダＢ６１５右側受け部への付勢と矢印Ｄ方向と反対方向への回転方向の付勢を行っている。
【００６２】
又、紙検出ホルダＢ６１５の紙検出レバーばねＢ６１４の力を受ける面は、紙検出レバーＢ６１１の主走査方向の回動を許容するために斜面状の逃げが設けられている。更に、紙検出ホルダＢ６１５には紙検出レバーＢ６１１の回転を止めるストッパピン６１５ａが設けられているので、紙検出レバーＢ６１１は、図５（ａ）の状態より矢印Ｄ反対方向へ回動することはない。
【００６３】
又、紙検出センサＢ６１３は、紙検出レバーＢ６１１が主走査方向（矢印Ｃ方向）へ回動する際の軸上に配置されているので、紙検出レバーＢ６１１が主走査方向へ回転しただけでは紙検出レバーＢ６１１のセンサ側部６１１ｂが紙検出センサＢ６１３の遮光から外れて紙検出センサＢ６１３が誤動作することはない。これらの紙検出手段Ｂ６１０の構成部材は、不図示の支持部材でガイドレール４０５（図４）に取り付けられている。
【００６４】
印字動作開始により記録用紙群２００を載せたプラテン３０１は、図５（ａ）の状態から図５（ｂ）の矢印Ｂ１方向に移動を開始すると、記録用紙群２００が紙検出レバーＢ６１１を押す。紙検出レバーＢ６１１の先端は、プラテン３０１に設けられたレバー溝３０１ａにガイドされているので、主走査方向に回動することなく、矢印Ｄ方向へ回動する。それにより紙検出レバーＢ６１１のセンサ側部６１１ｂが紙検出センサＢ６１３から離れるので、紙検出センサＢ６１３は、記録用紙群２００が有ることを検知する。
【００６５】
記録が終了すると、図５（ｃ）に示すように、プラテン３０１は反転し、図中矢印Ｂ２方向へ移動する。このとき、紙検出レバーＢ６１１は、プラテン３０１上に設けられた斜面３０１ａに接触する。斜面３１１ａは、紙検出レバーＢ６１１を矢印Ｃ方向へ回転させるように働く。このとき、紙検出ホルダＢ上に設けられたストッパピン６１５ａが紙検出レバーＢ６１１の副走査方向の回転を止めているので、紙検出レバーＢ６１１は、副走査方向には回転することなく、斜面に沿って主走査方向（矢印Ｃ方向）に回動する。そして、紙検出レバーＢ６１１の先端は、プラテン３０１の端面３０１ｃに当接しながら、記録用紙群２００には接触しないで通過する。
【００６６】
以上のように構成することで、紙検出レバー１つであっても、記録後は記録面にレバーが接触しないレバー式紙検出手段とすることができる。
【００６７】
＜実施の形態３＞
次に、本発明の実施の形態３を図６（ａ）〜（ｆ）を用いて説明する。尚、図６においても、説明に必要な構成要素のみを表示しその他は省略する。又、図６で示す矢印Ｂ方向も図３のプラテン３０１の副走査方向を示す矢印Ｂ方向と一致している。
【００６８】
本実施の形態においては、紙検出手段Ｃ６２０は、紙検出レバーＣ６２１、紙検出センサＣ６２３、紙検出ホルダＣ６２５から成る。紙検出レバーＣ６２１は、紙検出ホルダＣ６２５に回動可能に支持されており、その回転軸は主走査方向とも副走査方向とも一致していない。つまり、紙検出レバーＣ６２１の回動する方向は副走査方向（矢印Ｂ方向）に対して若干角度αを持つように構成されている。ここでは、その角度は２０度である。
【００６９】
又、紙検出レバーＣ６２１は、常に垂直になるために自重を利用している。そのため、図６（ｂ）に示すように、紙検出レバーＣ６２１の下端は重くするために先端部のみ厚みを増しており、上部は軽くするために一部穴を開けている。尚、先端部には金属製の重りを内蔵させても良い。又、自重を用いないでねじりコイルばね、圧縮コイルばね等の通常の付勢手段を用いても良い。
【００７０】
記録用紙群２００が薄い場合でも確実に紙検出レバーＣ６２１が変位するように、紙検出レバーＣ６２１の先端はプラテン３０１に設けられたレバー溝３０１ａに入り込んでいる。そして、レバー溝３０１ａは、紙検出レバーＣ６２１の動作を妨げないように副走査方向に記録用紙群２００の下側に少しは入り込むように延びている。紙検出センサＣ６２３は、紙検出センサＣ６０３と同様に透過型の光センサである。紙検出レバーＣ６２１、紙検出センサＣ６２３は、紙検出ホルダＣ６２５を介して不図示の支持部材によりガイドレール４０５（図４）に取り付けられている。
【００７１】
印字動作開始により記録用紙群２００を載せたプラテン３０１は、図６（ａ）の状態から図６（ｂ）の矢印Ｂ１方向へ移動を開始すると、記録用紙群２００が紙検出レバー６２１を押す。紙検出レバーＣ６２１は、矢印Ｅ方向へ回動し、紙検出レバーＣ６２１の上部が紙検出センサＣ６２３から離れるため、紙検出センサＣ６２３は、記録用紙群が有ることを検知する。
【００７２】
更に、プラテン３０１が移動すると、図６（ｃ）のように紙検出レバーＣ６２１の先端部分が記録用紙群２００の最上面を擦りながらプラテン３０１は記録ポジションへと移動し記録を行う。このとき、紙検出レバーＣ６２１の回転方向と副走査方向Ｂ１が角度を持っているために紙検出レバーＣ６２１がＥ方向へ回転変位すればする程紙検出レバーＣ６２１の先端は見掛け上矢印Ｆ方向へ回転移動することになる。
【００７３】
記録動作が終了すると、図６（ｄ）に示すようにプラテン３０１は反転し、図中矢印Ｂ２方向へ移動する。今度は紙検出レバーＣ６２１は、矢印Ｇ方向、これは矢印Ｅ方向の反対向きに回動する。
【００７４】
更に、プラテン３０１が矢印Ｂ２方向へ進行すると図６（ｅ）の状態となる。図６（ｅ）に示すように、紙検出レバーＣ６２１が矢印Ｇ方向へ回転変位すればする程紙検出レバーＣ６２１の先端は見掛け上矢印Ｈ方向（矢印Ｆ方向の反対向き）に回動し、紙検出レバーＣ６２１は、記録用紙群２００から外れる動きをする。記録用紙群２００が厚い場合には、図６（ｅ）に示すように、紙検出レバーＣ６２１が記録用紙群２００の稜線を擦りながらプラテン３０１は移動し、記録用紙群２００が薄い場合には、図６（ｆ）に示すように、紙検出レバーＣ６２１が記録用紙群２００から離れてプラテン３０１上面に接触しながら移動する。
【００７５】
以上のように構成することで、紙検出レバー１つで且つ紙検出レバーの回動方向も１つで済む簡単な構成の記録後には記録面にレバーが接触しないレバー式紙検出手段とすることができる。
【００７６】
【発明の効果】
以上の説明で明らかなように、本発明によれば、記録媒体をプラテンに載せ、記録ヘッドの往復移動である主走査と、主走査と概略直交する方向に往復移動するプラテンの副走査を組み合わせて記録媒体の上面に記録を行うシリアルタイプのインクジェット記録装置において、前記プラテンの副走査の移動範囲には記録を行う記録位置と、記録位置の範囲外の待機位置とがあり、記録媒体に接触することで変位する記録媒体検知レバーと、記録媒体検知レバーの変位を検出する手段とから成るプラテン上の記録媒体の有無を検知する記録媒体検知手段を有し、前記記録媒体検知手段は記録用紙の待機位置と記録位置の間で検知手段が作用するように配置され、プラテンが待機位置から記録位置へ向かう往路動作では検知レバーは記録媒体の印字面に接触し、プラテンが記録位置から待機位置へ向かう復路動作では検知レバーは記録媒体の印字面には接触しないように作用するようにしたため、記録媒体をプラテンに載せ、このプラテンを記録ヘッドの対向面で平行に往復移動させることで副走査とするインクジェット記録装置において、記録媒体に接触することで記録媒体の有無を検出する方式の記録媒体検出手段であっても印字直後の印字面をレバーが擦って印字が乱れたり、レバーが汚れたりすることがない。
【図面の簡単な説明】
【図１】本発明の実施の形態１に係るインクジェット記録装置を示す概略斜視図である。
【図２】本発明の実施の形態１に係る別のインクジェット記録装置を示す概略斜視図である。
【図３】本発明の実施の形態１に係るインクジェット記録装置の内部構成を示す概略斜視図である。
【図４】本発明の実施の形態１に係るインクジェット記録装置を示す概略斜視図である。
【図５】本発明の実施の形態２に係るインクジェット記録装置を示す概略斜視図である。
【図６】本発明の実施の形態３に係るインクジェット記録装置を示す概略斜視図である。
【符号の説明】
１００      記録装置
１０１      メインケース
１０２      ペーパーカバー
１０３      インクタンク交換カバー
１０４      電源スイッチボタン
１０５      電源ランプ
１０６      ペーパーカバーボタン
１０７      足部材
１１０      底板シャーシ
２００      記録用紙群
３００      副走査ユニット
３０１      プラテン
３０２      シャーシ右
３０３      シャーシ左
４００      主走査ユニット
４０１      記録ヘッド
４０２      キャリア
４０３      インクタンク
４０４      ガイド軸
４０５      ガイドレール
４０６      キャリアシャーシ
４０７      キャリアモータ
５００      電気回路基板ユニット
６００      紙検出手段Ａ
６１０      紙検出手段Ｂ
６２０      紙検出手段Ｃ
【図１】
2004155029.tif 000003
【図２】
2004155029.tif 000004
【図３】
2004155029.tif 000005
【図４】
2004155029.tif 000006
【図５】
2004155029.tif 000007
【図６】
2004155029.tif 000008